(57)【特許請求の範囲】
【請求項１】
洗濯機内槽底のフランジ構造であって、フランジの中心に位置する軸接続部と、軸接続部の外周に位置し、洗濯機内槽底に固定接続される環状の取付部とを含み、
取付部と軸接続部との間に複数の接続部が設けられ、接続部が、取付部から軸接続部まで延伸する主リブと、主リブの両側にそれぞれ設けられ、主リブの延伸方向に沿って順番に配列する複数の横筋とを含み、複数の接続部を組み合わせて、取付部および軸接続部間の領域のろ過部を構成し、前記ろ過部は、洗濯機内槽と外槽との間の異物が洗濯機内槽に進入するのを阻止するために用いられ、
前記主リブは、前記フランジの径方向に沿って配置されており、
前記横筋の一端は前記主リブに接続され、もう一端が弧状の端部であり、各横筋は前記フランジの円周方向に延伸され、
前記接続部が、主リブから横筋の延伸方向に沿って、両側に向かって次第に低くなり、隣接する２つの接続部間がＶ形凹部を構成し、Ｖ形凹部の底端が、２つの主リブにおける横筋間の間隔により形成される、フランジの上下に水を通す空間であることを特徴とする構造。
【請求項２】
前記いずれか１つの主リブの同一側における隣接する２つの横筋間に、間隙が設けられることを特徴とする、請求項１に記載の洗濯機内槽底のフランジ構造。
【請求項３】
前記主リブの上表面が弧状表面であり、中心から両側に向かって円弧状に移行して低下し、両側の横筋と滑らかに移行して接続されることを特徴とする、請求項１に記載の洗濯機内槽底のフランジ構造。
【請求項４】
横筋の上表面が、中心が高く、両側に向かって滑らかに低下する弧状面であり、主リブと接続される一端からもう一端に向かって、その延伸方向に沿って傾斜し、次第に低くなることを特徴とする、請求項３に記載の洗濯機内槽底のフランジ構造。
【請求項５】
各横筋が主リブから側部の延伸方向に向かって弧状を呈し、フランジの円周位置の曲率に対応して設置されることを特徴とする、請求項１に記載の洗濯機内槽底のフランジ構造。
【請求項６】
各主リブの両側の横筋が、順番に間隔を開けて交互に設置され、異なる円周上にあるか、または、同一の主リブにおける両側の横筋が一つ一つ対応し、２つごとに１組で同一円周上にあることを特徴とする、請求項５に記載の洗濯機内槽底のフランジ構造。
【請求項７】
隣接する２つの主リブ間における２列の横筋が一つ一つ対応し、２つごとに１組で同一円周上にあるか、または、順番に間隔を開けて交互に設置され、異なる円周上にあることを特徴とする、請求項５に記載の洗濯機内槽底のフランジ構造。
【請求項８】
各組の主リブの横筋が、主リブの延伸方向に沿って、軸接続部の接続端から取付部の接続端方向に向かって順番に長くなり、横筋の上表面の傾斜角度が小さくなることを特徴とする、請求項１〜７のいずれか１項に記載の洗濯機内槽底のフランジ構造。
【請求項９】
洗濯機内槽底のフランジ構造であって、フランジがフランジの中心に位置する軸接続部と、軸接続部の外周に位置し、洗濯機内槽底に固定接続される環状の取付部とを含み、取付部と軸接続部との間に複数の接続部が設けられ、接続部が
取付部から軸接続部まで延伸する主リブと、  主リブの両側にそれぞれ設けられ、主リブの延伸方向に沿って順番に配列する複数の横筋と、
隣接する２つの主リブ間に設けられ、一端が取付部と接続され、もう一端が軸接続部に向かって自由に延伸する補強リブと、
補強リブの両側にそれぞれ設けられ、補強リブの延伸方向に沿って順番に配列する複数の補強筋と、を含み、
隣接する主リブの横筋および横筋間と、隣接する主リブおよび補強リブの横筋および補強筋間とを共に組み合わせて、取付部および軸接続部間の領域のろ過部を構成し、
前記ろ過部は、洗濯機内槽と外槽との間の異物が洗濯機内槽に進入するのを阻止するために用いられ、
前記主リブは、前記フランジの径方向に沿って配置されており、
前記横筋の一端は前記主リブに接続され、もう一端が弧状の端部であり、各横筋は前記フランジの円周方向に延伸され、
前記主リブが、横筋の延伸方向に沿って両側に向かって次第に低くなり、隣接する主リブ間における２列の横筋間がＶ形凹部を構成し、Ｖ形凹部の底端が横筋の間隔により形成される、フランジの上下に水が通る空間であり、および／または、前記補強リブが補強筋の延伸方向に沿って両側に向かって次第に低くなり、隣接する各列の横筋および各列の補強筋間に、間隔により形成される隙間を有することを特徴とする構造。
【請求項１０】
前記主リブの同一側における隣接する２つの横筋間に間隙が設けられ、および／または、補強リブの同一側における隣接する２つの横筋間に間隙が設けられることを特徴とする、請求項９に記載の洗濯機内槽底のフランジ構造。
【請求項１１】
前記主リブの上表面が弧状表面であり、中心から両側に向かって円弧状に移行して低下し、両側の横筋と滑らかに移行して接続され、
前記補強リブの上表面が弧状表面であり、中心から両側に向かって円弧状に移行して低下し、両側の補強筋と滑らかに移行して接続されることを特徴とする、請求項９に記載の洗濯機内槽底のフランジ構造。
【請求項１２】
前記横筋の上表面が、中心が高く、両側に向かって滑らかに低下する弧状面であり、前記主リブと接続される一端からもう一端に向かって、その延伸方向に沿って傾斜し、次第に低くなり、
前記補強筋の上表面が、中心が高く、両側に向かって滑らかに低下する弧状面であり、前記補強リブと接続される一端からもう一端に向かって、その延伸方向に沿って傾斜し、次第に低くなることを特徴とする、請求項１１に記載の洗濯機内槽底のフランジ構造。
【請求項１３】
各横筋が前記主リブから側部の延伸方向に向かって弧状を呈し、フランジの円周位置の曲率に対応して設置され、
各補強筋が前記補強リブから側部の延伸方向に向かって弧状を呈し、フランジの円周位置の曲率に対応して設置されることを特徴とする、請求項９に記載の洗濯機内槽底のフランジ構造。
【請求項１４】
各主リブの両側における横筋が順番に間隔を開けて交互に設置され、異なる円周上にあるか、または、同一の主リブの両側における横筋が一つ一つ対応し、２つごとに１組で同一円周上にあり、
各補強リブの両側における補強筋が順番に間隔を開けて交互に設置され、異なる円周上にあるか、または、同一の補強リブの両側における補強筋が一つ一つ対応し、２つごとに１組で同一円周上にあることを特徴とする、請求項１３に記載の洗濯機内槽底のフランジ構造。
【請求項１５】
隣接する２つの主リブ間における２列の横筋が一つ一つ対応し、２つごとに１組で同一円周上にあるか、または、順番に間隔を開けて交互に設置され、異なる円周上にあることを特徴とする、請求項１３に記載の洗濯機内槽底のフランジ構造。
【請求項１６】
前記補強リブの長さが主リブの長さより短く；補強筋の長さが、隣接する主リブにおける横筋の長さの変化に対応して変わり、補強筋および隣接する横筋間を組み合わせて、ろ過構造が形成されることを特徴とする、請求項９〜１５のいずれか１項に記載の洗濯機内槽底のフランジ構造。
【請求項１７】
前記補強リブの長さが主リブの半分の長さより短いことを特徴とする、請求項１６に記載の洗濯機内槽底のフランジ構造。
【請求項１８】
外槽と、外槽内に設けられる内槽とを含む洗濯機であって、前記内槽底部に請求項９〜１７のいずれか１項に記載のフランジが取り付けられ、取付部および軸接続部間の複数の接続部を組み合わせることにより、ろ過部が形成されることを特徴とする洗濯機。
【発明の詳細な説明】
【技術分野】
【０００１】
本発明は洗濯機分野に関し、特に洗濯機内槽底部のフランジ取付構造および該フランジ取付構造を有する洗濯機に関する。
【背景技術】
【０００２】
既存の洗濯機の内槽、外槽間は閉ざされた環境であり、水流だけが通過することができる。洗濯機内槽底は環状構造であり、内槽底の下部に、本体および外側に延伸する６つの取付足を含む、六角形のフランジが取り付けられる。円盤本体は内槽軸と接続され、取付足にボルト取付孔が設けられ、内槽底と組み合わせてボルトで固定接続される。中国特許出願番号第２００８２００３８８６８．０号に、２重槽式洗濯機の脱水槽のフランジ取付構造が開示されている。
【０００３】
洗濯機の内外槽間における構造の限定性および使用環境の特殊性のため、３〜５ヶ月使用すると、内槽の外壁および外槽の内壁に汚れが付着する。これにより様々な程度の細菌が繁殖し、繁殖した細菌の大部分は人体に有害である。
【０００４】
人々の生活水準が向上し、生活の質に対する要求が上昇するのに伴い、洗濯機の衛生面の問題は、すでに解決する必要に迫られている。関連する科学研究機構の洗濯機の内部環境に対する調査は、洗濯機の内部汚染の深刻さについて消費者が重視し始めていることを示している。洗濯機の洗濯物に対する二次的な汚れを根本的に防止するため、さらにユーザの健康に対してより責任を負うため、洗濯機の内部環境に対する洗浄の難しさは、すでに克服する必要に迫られた問題となっている。
【０００５】
出願人は中国特許出願番号第２０１０１０１６０５４８．４号で、可撓性顆粒を使用して洗濯機の内外槽間を洗浄する洗濯機および方法を開示している。該洗濯機は、洗濯機の内外槽間に可撓性顆粒を入れることを採用している。衣類の洗濯過程における水の規則的な流動により、可撓性顆粒を洗濯機の内外槽壁に衝突および摩擦させて、洗濯機の内外槽間の洗浄を実現する。
【０００６】
しかし、既存のパルセータ型洗濯機の内槽底構造において、フランジは取付足により内槽底部に固定され、内槽底部の中心の開口領域がフランジ本体と同軸に取り付けられる位置に、水を通す大きな隙間が残る。すなわち、フランジ本体の直径は、内槽底部の中心における開口領域の内径より小さく、該水を通す隙間は洗濯水を内槽および外槽間で流通させることができる。しかし、これにより内外槽間の可撓性顆粒はここから内槽に進入し、さらには内外槽間の可撓性顆粒の数が減少し、内外槽壁を洗浄する効果に影響を及ぼす。
【０００７】
中国特許出願番号第２０１２１０１８９６１６．９号は、洗濯機内槽底部のフランジ取付構造および洗濯機を開示している。該洗濯機は槽壁を洗浄する機能を有し、外槽および内槽を含む。外槽および内槽間に、水流に伴って流れ、槽壁を洗浄する洗浄顆粒を有し、内槽底部に洗浄顆粒が底部から内槽に進入するのを阻止することができるフランジが取り付けられる。フランジは本体と、本体周囲に分布し、内槽と固定される取付足とを含み、内槽底部の中心のフランジ本体に対応する領域は、上下が通じる開口である。前記フランジ本体の直径は開口の内径以上であるか、またはフランジ本体の直径は開口の内径より小さい。フランジ本体の外縁および開口の内縁間の隙間は、洗浄顆粒が該隙間から内槽に進入するのを阻止することができる大きさである。
【０００８】
上記構造は、フランジ本体のサイズを拡大することにより、内槽底の開口領域を塞ぎ、洗浄顆粒が内槽に進入するのを防止する。しかし、該構造は、洗濯時の内外槽間における水流の流動および排水時の排水速度を含む、水流の流動に不利である。さらに最後まで排水すると、糸屑が容易に内槽底に堆積して、排出に不利であり、これにより細菌が繁殖する。
【０００９】
このことを考慮して、特に本発明を示す。
【先行技術文献】
【特許文献】
【００１０】
【特許文献１】中国特許出願番号第２００８２００３８８６８．０号
【特許文献２】中国特許出願番号第２０１０１０１６０５４８．４号
【特許文献３】中国特許出願番号第２０１２１０１８９６１６．９号
【発明の概要】
【発明が解決しようとする課題】
【００１１】
本発明が解決しようとする技術的問題は、既存技術の不足を克服し、洗濯時に内外槽間に設けられる物体が、水流に伴って内槽底部の中空の開口から内槽に進入するのを阻止することができ、排水時に水流および糸屑の排出に影響を及ぼさないフランジ構造を提供することである。
【００１２】
本発明のもう１つの目的は、該フランジを有する洗濯機を提供することである。
【課題を解決するための手段】
【００１３】
上記技術的問題を解決するため、本発明が採用する技術案の基本的構想は次の通りである。洗濯機内槽底のフランジ構造において、フランジはフランジの中心に位置する軸接続部と、軸接続部の外周に位置し、洗濯機内槽底に固定接続される環状の取付部とを含む。取付部と軸接続部との間に複数の接続部が設けられ、接続部は取付部から軸接続部まで延伸する主リブと、主リブの両側にそれぞれ設けられ、主リブの延伸方向に沿って順番に配列する複数の横筋とを含む。複数の接続部を組み合わせて、取付部および軸接続部間の領域のろ過部を構成する。
【００１４】
さらに、前記接続部は、主リブから横筋の延伸方向に沿って、両側に向かって次第に低くなり、隣接する２つの接続部間がＶ形凹部を構成し、Ｖ形凹部の底端は２つの主リブにおける横筋間の間隔により形成される、フランジの上下に水を通す空間である。
【００１５】
さらに、前記いずれか１つの主リブの同一側における隣接する２つの横筋間に間隙が設けられる。
【００１６】
さらに、前記主リブの上表面は弧状表面であり、中心から両側に向かって円弧状に移行して低下し、両側の横筋と滑らかに移行して接続される。
【００１７】
さらに、前記横筋の一端は主リブと滑らかに移行して接続され、もう一端は弧状の端部である。横筋の上表面は、中心が高く、両側に向かって滑らかに低下する弧状面であり、主リブと接続される一端からもう一端に向かって、その延伸方向に沿って傾斜し、次第に低くなる。
【００１８】
さらに、前記主リブはフランジの径方向に沿って設置される。各横筋は主リブから側部の延伸方向に向かって弧状を呈し、フランジの円周位置の曲率に対応して設置される。
【００１９】
さらに、各主リブの両側の横筋は、順番に間隔を開けて交互に設置され、異なる円周上にある。または、同一の主リブにおける両側の横筋は一つ一つ対応し、２つごとに１組で同一円周上にある。
【００２０】
さらに、隣接する２つの主リブ間における２列の横筋は一つ一つ対応し、２つごとに１組で同一円周上にある。または、順番に間隔を開けて交互に設置され、異なる円周上にある。
【００２１】
さらに、各組の主リブの横筋は、主リブの延伸方向に沿って、軸接続部の接続端から取付部の接続端方向に向かって次第に長くなり、横筋の上表面の傾斜角度は小さくなる。
【００２２】
本発明のもう１つの洗濯機内槽底のフランジ構造において、フランジはフランジの中心に位置する軸接続部と、軸接続部の外周に位置し、洗濯機の内槽底に固定接続される環状の取付部とを含む。取付部と軸接続部との間に複数の接続部が設けられ、接続部は取付部から軸接続部まで延伸する主リブと、主リブの両側にそれぞれ設けられ、主リブの延伸方向に沿って順番に配列する複数の横筋と、隣接する２つの主リブ間に設けられ、一端が取付部と接続され、もう一端が軸接続部に向かって自由に延伸する補強リブと、補強リブの両側にそれぞれ設けられ、補強リブの延伸方向に沿って順番に配列する複数の補強筋と、を含む。隣接する主リブの横筋および横筋間と、隣接する主リブおよび補強リブの横筋および補強筋間とを共に組み合わせて、取付部および軸接続部間の領域のろ過部を構成する。
【００２３】
さらに、前記主リブは、横筋の延伸方向に沿って、両側に向かって次第に低くなり、隣接する主リブ間における２列の横筋間はＶ形凹部を構成し、Ｖ形凹部の底端は横筋の間隔により形成される、フランジの上下に水が通る空間である。および／または、前記補強リブは補強筋の延伸方向に沿って両側に向かって次第に低くなり、隣接する各列の横筋および各列の補強筋間に、間隔により形成される隙間を有する。
【００２４】
さらに、前記主リブの同一側における隣接する２つの横筋間に間隙が設けられ、および／または、補強リブの同一側における隣接する２つの横筋間に間隙が設けられる。
【００２５】
さらに、前記主リブ／補強リブの上表面は弧状表面であり、中心から両側に向かって円弧状に移行して低下し、両側の横筋／補強筋と滑らかに移行して接続される。
【００２６】
さらに、前記横筋／補強筋の一端は、主リブ／補強リブと滑らかに移行して接続され、もう一端は弧状の端部である。横筋／補強筋の上表面は、中心が高く、両側に向かって滑らかに低下する弧状面であり、主リブ／補強リブと接続される一端からもう一端に向かって、その延伸方向に沿って傾斜し、次第に低くなる。補強リブ、補強筋の上表面は、それぞれ主リブ、横筋の上表面と同じであり、中心が高く、両側に向かって次第に低くなる弧状面である。糸屑が滑って脱落するのに有利であり、絡みついて詰まるのを防止する。
【００２７】
さらに、前記主リブ／補強リブは、フランジの径方向に沿って設置される。各横筋／補強筋は主リブ／補強リブから側部の延伸方向に向かって弧状を呈し、フランジの円周位置の曲率に対応して設置される。
【００２８】
さらに、各主リブ／補強リブの両側における横筋／補強筋は順番に間隔を開けて交互に設置され、異なる円周上にある。または、同一の主リブ／補強リブの両側における横筋／補強筋は一つ一つ対応し、２つごとに１組で同一円周上にある。
【００２９】
さらに、隣接する２つの主リブ間における２列の横筋は一つ一つ対応し、２つごとに１組で同一円周上にある。または、順番に間隔を開けて交互に設置され、異なる円周上にある。
【００３０】
さらに、隣接する主リブおよび補強リブ間の横筋および補強筋は一つ一つ対応し、２つごとに１組で同一円周上にある。または、順番に間隔を開けて交互に設置され、異なる円周上にある。
【００３１】
さらに、前記補強リブの長さは主リブの長さより短く、好ましくは、主リブの半分の長さより短い。補強筋の長さは、隣接する主リブにおける横筋の長さの変化に対応して変わる。補強筋および隣接する横筋間を組み合わせて、ろ過構造が形成される。
【００３２】
一般的な変化として、主リブにおける横筋の長さは、軸接続部の一端からもう一端に向かって、補強リブの自由端と同じ円周位置に達するまで次第に長くなる。横筋の長さおよび補強リブにおける補強筋の長さは、相互に対応して変化し、これにより内外槽間に設けられる物体が内槽に進入するのを阻止する。
【００３３】
本発明の上記２種のフランジ構造における主リブ、補強リブ、横筋および補強筋の構造は、いずれも排水時に糸屑が通過するのに有利である。糸屑が各部材に絡みつくのを防止し、詰まる可能性を減少させた。
【００３４】
さらに、上記２種のフランジ構造における主リブ、または主リブおよび補強リブの数は、それぞれ６〜１８個であるが、この範囲内に制限されない。該数は、フランジのサイズおよび必要な強度と関係し、フランジが大きいほど、強度の要求が高いほど、必要な主リブの数は多くなる。
【００３５】
さらに、取付部に、内槽底と組み合わさるボルト取付孔が設けられ、好ましくは定位柱も設けられる。
【００３６】
本発明の上記フランジ構造を有する洗濯機は、槽壁を洗浄する機能を有し、外槽と外槽内に設けられる内槽とを含む。内槽底部に前記フランジが取り付けられ、取付部および軸接続部間の複数の接続部を組み合わせることにより、ろ過部が形成され、該ろ過部は、洗濯過程で内外槽間の異物が内槽に進入するのを阻止することができる。
【発明の効果】
【００３７】
上記技術案を採用すると、本発明は既存技術と比較して、以下の有益な効果を有する。
【００３８】
内槽底部は中空であるため、本発明のフランジにおける接続部の各部材を組み合わせて、該中空位置のろ過装置が形成される。該ろ過装置の作用は、内槽に不注意で入ってしまった硬貨、ボタンなどの異物および糸屑が、排水に伴って内槽から排出されるのに便利である。その他の内外槽間に設ける必要がある物体、例えば洗浄ボールが洗濯時に水流に伴って内槽に進入するのを防止することもできる。本発明のフランジは、内槽外部の異物が内槽に進入するのを遮るが、排水時の糸屑のスムーズな排出には影響を及ぼさず、詰まることはない。
【００３９】
本発明のフランジの設計は斬新で、美しい。一体成型構造を採用しており、加工工程は簡単で、取付が便利である。
【図面の簡単な説明】
【００４０】
【図１】図１は、本発明の前記洗濯機の内槽底およびフランジ取付構造の断面概要図である。
【図２】図２は、本発明の前記フランジの構造概要図である。
【図３】図３は、図２におけるＡ部分の拡大概要図である。
【図４】図４は、本発明の前記フランジのもう１つの構造概要図である。
【図５】図５は、図４におけるＢ部分の拡大概要図である。
【図６】図６は、本発明の前記フランジの断面概要図である。
【発明を実施するための形態】
【００４１】
以下に、図を組み合わせて、本発明の具体的実施方式について、さらに詳細に記載する。
【００４２】
図１に示すように、パルセータ型洗濯機は外槽１および内槽２を含み、内槽底４は中空の環状構造である。内槽底４の下部に本発明の前記フランジ５が取り付けられ、これにより内外槽間の異物が洗濯時に水流に伴って運動し、内槽内に進入するのを阻止する。糸屑の通過は阻止せず、糸屑は排水時に容易にフランジを通過し、内外槽間に進入し、最後に外槽の排水口から排出される。本発明の前記フランジは、既存のフランジと比較して比較的大きな改良を行っており、外側に延伸する取付足を設けていない。全体が円盤形状を呈し、円盤上に環状の中空領域が同じ円心で設けられ、該中空領域にろ過構造が一体に設けられる（図２および図４を参照）。
【００４３】
図２および図４に示すように、本発明の前記フランジ５は、フランジの中心に位置する軸接続部６と、軸接続部６の外周に位置し、洗濯機の内槽底４に固定接続される環状の取付部７とを含む。取付部７と軸接続部６との間に複数の接続部８が設けられ、接続部８は、取付部７から軸接続部６まで延伸する主リブ８１と、主リブ８１の両側にそれぞれ設けられ、主リブ８１の延伸方向に沿って順番に配列する複数の横筋８２とを含む。複数の接続部８を組み合わせて、取付部７および軸接続部６間の領域のろ過部を構成する。取付部７に、内槽底４と組み合わさるボルト取付孔９および定位柱１０が設けられる。
【００４４】
さらに、前記接続部８は、主リブ８１から両側に向かって、横筋８２の延伸方向に沿って次第に低くなり、隣接する２つの接続部８間はＶ形凹部８３を構成し、Ｖ形凹部８３の底端は、隣接する２つの主リブにおける横筋８２間の間隔により形成される、フランジの上下に水を通す空間８４である。内槽内の糸屑、ボタンなどの異物が横筋８２に沿って滑り、該空間８４を通過して外槽に進入する。
【００４５】
さらに、前記いずれか１つの主リブ８１の同一側における隣接する２つの横筋８２間に間隙８５が設けられ、該間隙８５構造は水流の流動および糸屑の通過に有利である。図６に示すように、前記主リブ８１の上表面は弧状表面であり、中心から両側に向かって円弧状に移行して低下し、両側の横筋８２と滑らかに移行して接続される。前記横筋８２の一端は主リブ８１と滑らかに移行して接続され、もう一端は弧状の端部であり（図３を参照）、横筋８２の上表面も中心が高く、両側に向かって滑らかに低下する弧状面である。主リブ８１と接続する一端からもう一端に向かって、その延伸方向に沿って傾斜し、次第に低くなる。
【００４６】
好ましくは、前記主リブ８１はフランジの径方向に沿って設置される。各横筋８２は、主リブ８１から側部の延伸方向に向かって弧状を呈し、フランジの円周位置の曲率に対応して設置される。横筋８２は様々な半径の同心円の円周上に位置し、その対応する弧状の曲率は異なる。
【実施例】
【００４７】
実施例１
図２および図３に示すように、本実施例の同一の主リブ８１の両側における各列の横筋８２は一つ一つ対応し、横筋は２つごとに１組で同一円周上にある。または、各主リブ８１の両側における横筋８２は順番に間隔を開けて交互に設置され、異なる円周上にある（図示しない）。
【００４８】
実施例２
図２および図３に示すように、本実施例の隣接する２つの主リブ８１間における２列の横筋８２は、順番に間隔を開けて交互に設置され、異なる円周にある。または、図４および図５に示すように、隣接する２つの主リブにおける隣接する２列の横筋８２は一つ一つ対応し、２つごとに１組で同一円周上にある。
【００４９】
実施例３
図２および図３に示すように、本実施例の前記接続部はフィッシュボーン構造を呈し、すなわち主リブは背骨であり、両側の横筋は小骨である。各組の主リブ８１における横筋８２は、主リブ８１の延伸方向に沿って、軸接続部６の接続端から取付部７の接続端方向に向かって順番に長くなり、横筋８２の上表面の傾斜角度は小さくなる。
【００５０】
実施例４
図４および図５に示すように、本実施例は、上記実施例３を基に、吊り下げ構造を追加している。すなわち隣接する２つの主リブ８１間に補強リブ８６が設けられ、補強リブ８６の一端は取付部７と接続され、もう一端は軸接続部６方向に向かって延伸し、自由端である。補強リブ８６の両側に、補強リブ８６の延伸方向に沿って、順番に配列する複数の補強筋８７が設けられる。各側の補強筋は１列を形成し、各列の補強筋８７と隣接する主リブ８１の１列の横筋８２との間に、間隔により形成される隙間８８を有する。その構造および作用は、隣接する２つの主リブにおける横筋間の空間８４と同じである。
【００５１】
隣接する２つの主リブ８１間に補強リブ８６構造を追加する。補強リブ８６は取付部７および軸接続部６を完全に接続しないため、補強リブ８６の長さは主リブ８１の長さより短い。好ましくは主リブ８１の半分の長さより短く、さらには、補強筋８７の長さは、隣接する主リブ８１における横筋８２の長さの変化に対応して変わる。補強筋８７および隣接する横筋８２を組み合わせて、ろ過構造が形成され、同様に内外槽間の異物の通過を阻止するが、内槽内の糸屑は排水時に通過させることができる。
【００５２】
一般的な変化として、主リブ８１における横筋８２の長さは、軸接続部６の一端からもう一端に向かって、補強リブ８６の自由端と同じ円周位置に達するまで次第に長くなる。横筋８２の長さと、補強リブ８６における補強筋８７の長さとを互いに組み合わせて、ろ過部が形成される。
【００５３】
さらに、補強リブ８６の取付部７と接続される一端は滑らかに移行し、もう一端は滑らかな端部である。補強リブ８６、補強筋８７の上表面は、それぞれ主リブ８１、横筋８２の上表面と同じで、中心が高く、両側に向かって次第に低くなる弧状面である。糸屑が滑って脱落するのに有利であり、絡みつくのを防止する。
【００５４】
実施例５
図４および図５に示すように、主リブ８１における横筋８２の構造と同じで、補強リブの同一側における補強筋８７間にも間隙８９が設けられる。作用は、横筋間の間隙８５と同じである。両側の補強筋８７は順番に間隔を開けて交互に設置され、異なる円周上にある。または、一つ一つ対応して、２つごとに１組で同一円周上にある。
【００５５】
実施例６
図４および図５に示すように、補強リブ８６の同一側における１列の補強筋８７は、隣接する主リブ８１における１列の横筋８２と一つ一つ対応する。２つごとに１組、すなわち１つの補強筋は１つの横筋と１組であり、同一円周上にある。または、順番に間隔を開けて交互に設置され、異なる円周上にある。
【００５６】
実施例７
本発明の前記洗濯機は、槽壁を洗浄する機能を有する。すなわち、外槽１と内槽２との間に、水流に伴って流れ、槽壁に衝突、摩擦する洗浄顆粒３が設けられ、これにより外槽の内壁および内槽の外壁を洗浄する（図１を参照）。上記フランジ構造を利用して、洗浄顆粒３が内槽に進入するのを阻止することができる。しかし、本発明の前記洗濯機は上記洗濯機の範囲内に限定されず、上記フランジ構造を取り付けた洗濯機は、いずれも本発明の保護範囲内にある。
【００５７】
本発明の前記主リブ、補強リブ、横筋および補強筋の構造は、いずれも排水時、糸屑が通過するのに有利であり、糸屑が各部材に絡みつくのを防止し、詰まる可能性を減少させた。同時に、該構造により、硬貨、ボタンなどの異物が横筋、補強筋間の間隙および空間、隙間内を通過することができ、詰まる可能性を減少させた。
【００５８】
上記主リブ８１および補強リブ８６の数はそれぞれ１２個であるが、この範囲内に制限されない。該数は、フランジのサイズおよび必要な強度と関係があり、フランジが大きいほど、強度の要求が高いほど、必要な主リブの数は多くなる。
【００５９】
上記実施例における実施案は、さらなる組合せまたは置換を行うことができ、また実施例は本発明の好ましい実施例を記載したに過ぎず、本発明の構想および範囲を限定しない。本発明の設計の発想を逸脱しない前提の下、当業者が本発明の技術案に対して行う各種の変更および改良は、いずれも本発明の保護範囲に属する。
【図１】
0006590225.tif 000002
【図２】
0006590225.tif 000003
【図３】
0006590225.tif 000004
【図４】
0006590225.tif 000005
【図５】
0006590225.tif 000006
【図６】
0006590225.tif 000007